(57)【要約】【課題】背面永久磁石板および前面永久磁石板のギャップを一定に保ち、振動膜を前面永久磁石板と背面永久磁石板のギャップ中間においての磁力線の水平方向の成分が最も多くなる最適な位置に配置する必要があった。【解決手段】後側柱４１は背面永久磁石板１１と振動膜１３の間に非磁性体で設けられ、前側柱４２は前面永久磁石板１４と振動膜１３の間に非磁性体で設けられ、後側柱４１および前側柱４２の高さにより背面永久磁石板１１と前面永久磁石板１４とのキャップを一定に保つ。そして振動膜１３を、後側柱４１および前側柱４２で挟み固定することにより、最適な位置に配置する。【選択図】図２
2007312020.tif 000002
【特許請求の範囲】
【請求項１】
帯状の多極着磁パターンが形成された背面永久磁石板および前面永久磁石板と、
前記背面永久磁石板および前記前面永久磁石板に対向するように配置した振動膜と、
前記背面永久磁石板と前記前面永久磁石板との間に設けられ前記振動膜を固定する所定の高さを有する柱とを備えた電磁変換器。
【請求項２】
前記柱は後側柱と前側柱から構成され、前記後側柱は背面永久磁石板と振動膜の間に設けられ、前記前側柱は前面永久磁石板と振動膜の間に設けられており、前記後側柱と前記前側柱を用いて振動膜を挟み固定することを特徴とする請求項１記載の電磁変換器。
【請求項３】
前記前側柱と前記後側柱の高さを同一にすることを特徴とする請求項２記載の電磁変換器。
【発明の詳細な説明】
【技術分野】
【０００１】
この発明は、例えばオーディオ信号を再生する電磁変換器に関するものである。
【背景技術】
【０００２】
従来、永久磁石板と振動膜とを組み合わせた電磁変換器は、様々な技術が提案されている。特許文献１の電磁変換器は、背面永久磁石板および音放射穴を有する前面永久磁石板と、その永久磁石板に対向するように配置した振動膜とを備えている。この２枚の永久磁石板を対向配置し、両永久磁石板の同極が対向するように（Ｎ極とＮ極とが向き合い、Ｓ極とＳ極とが向き合う）した場合、永久磁石板のＮ極からＳ極へ向かう磁力線と他方の永久磁石板のＮ極からＳ極へ向かう磁力線とが押し合い、中央部分で磁界の水平方向（振動膜の面内を通る方向）の成分が多くなる。この磁界の水平方向の成分がオーディオ振動の発生に寄与する。
【０００３】
【特許文献１】特開平９−３３１５９６号公報（段落００１３〜段落００２５）
【発明の開示】
【発明が解決しようとする課題】
【０００４】
このため、背面永久磁石板および前面永久磁石板のギャップを一定に保ち、振動膜を前面永久磁石板と背面永久磁石板のギャップ中間の磁界の水平方向の成分が最も多くなる最適な位置に配置する必要があり、このため特許文献１では、フレームの外側から電磁変換器全体を支持棒とナットで留める方法を用いている。しかし、この方法では、背面永久磁石板と前面永久磁石板のギャップが板金フレームの製作誤差や組み立て誤差に大きく影響を受けてしまい、背面永久磁石板と前面永久磁石板のギャップを一定にすることができず、また振動膜を背面永久磁石板と前面永久磁石板のギャップ中間において最適な位置に配置することができないため、効率よく電磁力を発生させることができず、電磁変換器の性能が安定しないという課題があった。
【０００５】
この発明は上記のような課題を解決するためになされたもので、背面永久磁石板と前面永久磁石板のギャップを一定に保ち、振動膜を背面永久磁石板と前面永久磁石板のギャップの最適な位置に配置することで、効率よく電磁力を発生させ、性能を安定させることができる電磁変換器を得ることを目的とする。
【課題を解決するための手段】
【０００６】
本願発明に係る電磁変換器は、帯状の多極着磁パターンが形成された背面永久磁石板および前面永久磁石板と、前記背面永久磁石板および前記前面永久磁石板に対向するように配置した振動膜と、背面永久磁石板と前面永久磁石板との間に設けられ前記振動膜を固定する所定の高さを有する柱を備えたものである。
【発明の効果】
【０００７】
この発明によれば、背面永久磁石板と前面永久磁石板のギャップを一定に保つことができるという効果を奏する。
【発明を実施するための最良の形態】
【０００８】
実施の形態１．
図１はこの発明の実施の形態１の平板型の電磁変換器構成の分解斜視図であり、図２は実施の形態１の電磁変換器の断面図である。
この電磁変換器１０は、音を外部に放射するための音放射穴１４ａが形成されている前面永久磁石板１４と、前面永久磁石板１４と対向する背面永久磁石板１１と、背面永久磁石板１１および前面永久磁石板１４に対向するように配置した振動膜１３と、背面永久磁石板１１と振動膜１３との間および前面永久磁石板１４と振動膜１３との間に配置された緩衝部材１２と、背面永久磁石板１１と緩衝部材１２との間に配置された後側柱４１と、前面永久磁石板１４と緩衝部材１２との間に配置された前側柱４２と、これらを覆う第一の支持部材３１および音放射穴３２ａを有する第二の支持部材３２を備えている。振動膜１３は、図１に示すように、薄く柔軟な樹脂フィルム１３ａの全面に蛇行形成の導体パターンからなるコイル１３ｂが形成されている。
【０００９】
また図２で示すように、背面永久磁石板１１および前面永久磁石板１４は異なる磁極が一定の間隔を置いて交互に形成された帯状の多極着磁パターンが有するものであり、この背面永久磁石板１１および前面永久磁石板１４は異なる磁極同士の間隙部分のいわゆる着磁のニュートラルゾーンｎｚと称される部分を有する。そして第一の支持部材３１と第二の支持部材３２を合わせたものがフレーム３０であり、フレーム３０の内側が構造体２０である。
【００１０】
ここで、背面永久磁石板１１および前面永久磁石板１４は、図２に示すように、振動膜１３との対向面のほぼ全面に焼結フェライト磁石からなる帯状の多極着磁パターンＮ，Ｓが片面に形成されているものである。
【００１１】
後側柱４１は背面永久磁石板１１と振動膜１３の間に、前側柱４２は前面永久磁石板１４と振動膜１３の間に、それぞれ非磁性体で設けられており、後側柱４１の高さが背面永久磁石板１１と振動膜１３のギャップとなり、前側柱４２の高さが前面永久磁石板１４と振動膜１３のギャップとなる。後側柱４１と前側柱４２を用いることで、背面永久磁石板１１と前面永久磁石板１４のギャップは一定に保たれる。またギャップは、後側柱４１および前側柱４２の柱の高さにより制御されているので、板金フレームの製作誤差や組み立て誤差による影響を受けない。
【００１２】
振動膜１３は、図２に示すように、背面永久磁石板１１および前面永久磁石板１４に対向するように配置し、振動膜１３を後側柱４１および前側柱４２を用いて挟み固定することにより、背面永久磁石板１１と前面永久磁石板１４のギャップ中間の最適な位置に配置することができる。また最適な位置は、同様の永久磁石板を用いた場合、一般的に背面永久磁石板１１と前面永久磁石板１４の中央と考えられるので、後側柱４１と前側柱４２の高さを同一にすることで、振動膜１３を背面永久磁石板１１と前面永久磁石板１４との中央に配置することができる。また最適な位置が中央ではない場合は、後側柱４１と前側柱４２の高さを調整することで、振動膜１３を背面永久磁石板１１と前面永久磁石板１４との間の最適な位置に調整することができる。
【００１３】
緩衝部材１２は通気性および音響エネルギーの透過性を有する不織布などから形成され、図１に示すように、緩衝部材１２は背面永久磁石板１１と振動膜１３との間および前面永久磁石板１４と振動膜１３との間に配置され、その振動膜１３が振動時に背面永久磁石板１１および前面永久磁石板１４との衝突を防止するとともに、サスペンションとしての役割を担うものである。
【００１４】
第一の支持部材３１は永久磁石板１１における多極着磁パターンの形成面と反対側の面に配置されて磁束漏洩を防止するためのものである。第二の支持部材３２は永久磁石板１４の音放射穴１４ａに連通させる音放射穴３２ａを有している。また第一の支持部材３１および第二の支持部材３２は、例えば、鉄板やニッケル・鉄合金（パーマロイ）板などが適用される。
【００１５】
次に動作について説明する。
図２で示すように、コイル１３ｂの直線部分は多極着磁パターンの帯状のＮ極とＳ極の中央部に位置するように配置をし、コイル１３ｂの直線部分は帯状磁極Ｎ，Ｓと同じピッチで平行に配置されている。また、背面永久磁石板１１と前面永久磁石板１４を対向配置し、背面永久磁石板１１および前面永久磁石板１４は同極が対向するようになっているので、背面永久磁石板１１のＮ極からＳ極へ向かう磁力線と、前面永久磁石板１４のＮ極からＳ極へ向かう磁力線とが押し合い、中央部分で磁界の水平方向の成分が多くなる。
【００１６】
ここで、後側柱４１は背面永久磁石板１１と振動膜１３の間に非磁性体で設けられ、前側柱４２は前面永久磁石板１４と振動膜１３の間に非磁性体で設けられ、背面永久磁石板１１と前面永久磁石板１４とのキャップは後側柱４１および前側柱４２の高さにより一定に保たれる。そして振動膜１３を、後側柱４１および前側柱４２で挟み固定することにより、最適な位置に配置する。
【００１７】
そして、電流が振動膜１３の表面に形成されている蛇行形成の導体パターンからなるコイル１３ｂに流れると、コイル１３ｂと背面永久磁石板１１および前面永久磁石板１４の磁力線とが電磁的に結合するため、振動がフレミングの法則により振動膜１３に発生する。この振動が永久磁石板１４の音放射穴１４ａを通り、音が第二の支持部材３２の音放射穴３２ａの方向から外部に出力される。
【００１８】
以上説明した実施の形態１によれば、電磁変換器１０は、帯状の多極着磁パターンが形成された背面永久磁石板１１および前面永久磁石板１４と、前記背面永久磁石板１１および前記前面永久磁石板１４に対向するように配置した振動膜１３と、背面永久磁石板１１と前面永久磁石板１４との間に設けられ前記振動膜１３を固定する所定の高さを有する柱を備えることにより、背面永久磁石板１１と前面永久磁石板１４のギャップを一定に保つことができるという効果を奏する。
【００１９】
また実施の形態１によれば、前記柱は後側柱４１と前側柱４２から構成され、前記後側柱４１は背面永久磁石板１１と振動膜１３の間に設けられ、前記前側柱４２は前面永久磁石板１４と振動膜１３の間に設けられており、後側柱４１と前側柱４２を用いて振動膜１３を挟み固定することにより、振動膜１３を背面永久磁石板１１と前面永久磁石板１４の最適な位置に正確かつ容易に配置することができるという効果を奏する。
【００２０】
また実施の形態１によれば、前記柱は後側柱４１と前側柱４２の高さを同一にすることにより、振動膜１３を背面永久磁石板１１と前面永久磁石板１４の中央に正確かつ容易に配置することができるという効果を奏する。
【００２１】
また実施の形態１によれば、後側柱４１と前側柱４２の高さを変えることで、振動膜１３をギャップの間の自由な位置に正確かつ容易に配置することができるという効果を奏する。
【図面の簡単な説明】
【００２２】
【図１】実施の形態１の電磁変換器の構成を示す分解斜視図である。
【図２】実施の形態１の電磁変換器の断面図である。
【符号の説明】
【００２３】
１０  電磁変換器、１１  背面永久磁石板、１２  緩衝部材、１３  振動膜、１３ａ  樹脂フィルム、１３ｂ  蛇行形成の導体パターンからなるコイル、１４  前面永久磁石板、１４ａ  音放射穴、２０  構造体、３０  フレーム、３１  第一の支持部材、３２  第二の支持部材、３２ａ  音放射穴、４１  後側柱、４２  前側柱、ｎｚ  着磁のニュートラルゾーン。
【図１】
2007312020.tif 000003
【図２】
2007312020.tif 000004